(57)【要約】【課題】パッド取り付け時の作業性を損なうことなく、パッドの抜け防止を実現できる携帯端末装置を提供すること。【解決手段】本発明にかかる携帯端末装置１は、筐体１０と、パッド７０と、三角リブ１５と、を備える。筐体１０には孔部１４が設けられている。パッド７０は、回転リブ７１と、回転ピン７２と、球面突起部７３と、を有する。回転リブ７１は、孔部１４の開口面よりも小さい形状であり、孔部１４の周縁部において一部が筐体１０の内面と重なる。また、回転リブ７１は、孔部１４を跨ぐ側面を有する。三角リブ１５は、筐体１０の内面に設けられ、回転リブ７１の側面と当接することにより、回転リブ７１が回転ピン７２の軸回りに回転することを規制する。【選択図】図１０
2013255022.tif 000002
【特許請求の範囲】
【請求項１】
内面から外面まで貫通する孔部を有する筐体と、
軸部と、前記軸部の一端に設けられ、前記孔部の開口面よりも小さい形状であり、前記孔部の周縁部において一部が前記筐体の内面と重っており、前記孔部を跨ぐ側面を有する第１の部材と、前記軸部の他端に設けられ、前記筐体の外面よりも外側に突出する第２の部材と、を有する構造部材と、
前記筐体の内面に設けられ、前記第１の部材の前記側面と当接する側面を有する複数の突起部と、
を備える携帯端末装置。
【請求項２】
前記突起部は、前記孔部に向かって傾斜する傾斜面を有する請求項１に記載の携帯端末装置。
【請求項３】
前記複数の突起部は、前記第１の部材を挟んでそれぞれ配置されている請求項１または２に記載の携帯端末装置。
【請求項４】
前記複数の突起部は、前記孔部を介して対向する位置にそれぞれ配置されている請求項１乃至３のいずれか一項に記載の携帯端末装置。
【請求項５】
前記第２の部材の前記軸部の径方向断面は曲率を有する形状である請求項１乃至４のいずれか一項に記載の携帯端末装置。
【請求項６】
前記第２の部材は球面部分と円柱部分とを有し、
前記球面部分が前記筐体の外面から突出している請求項５に記載の携帯端末装置。
【請求項７】
前記筐体は、筐体外面において凹部を有し、
前記円柱部分は、前記凹部と嵌合している請求項６に記載の携帯端末装置。
【請求項８】
前記第１の部材は、前記筐体に収容された部品の凹部と嵌合している請求項１乃至７のいずれか一項に記載の携帯端末装置。
【請求項９】
前記筐体の長手方向の両端部には、凹部を有するアンテナが収容されており、
前記第１の部材は、前記アンテナの凹部と嵌合している請求項８に記載の携帯端末装置。
【請求項１０】
前記突起部は、前記アンテナの凹部と嵌合している請求項９に記載の携帯端末装置。
【請求項１１】
前記第１の部材の長手方向の長さは、前記孔部の長手方向の長さよりも短く、前記孔部の短手方向の長さよりも長い請求項１乃至１０のいずれか一項に記載の携帯端末装置。
【請求項１２】
前記筐体には、少なくとも３つの前記構造部材が設けられており、
平面視において、前記構造部材が頂点となる多角形が形成されるように配置されている請求項１乃至１１のいずれか一項に記載の携帯端末装置。
【請求項１３】
前記構造部材は、ゴム成分を含む樹脂材料で形成される請求項１乃至１２のいずれか一項に記載の携帯端末装置。
【発明の詳細な説明】
【技術分野】
【０００１】
本発明は携帯端末装置に関し、特に薄型筐体を用いた携帯端末装置に関する。
【背景技術】
【０００２】
近年、携帯電話やスマートフォンなどの携帯端末装置が広く普及している。携帯端末装置を机上で使用する際のがたつきや滑りを防止するために、携帯端末装置の筐体は、携帯端末装置を支持するためのパッドを有する。例えば、特許文献１及び２に記載された電話機の底面は、ゴム足を有する。
【先行技術文献】
【特許文献】
【０００３】
【特許文献１】実開平１−１２４７３８号公報
【特許文献２】実開昭６３−１３６４４４号公報
【発明の概要】
【発明が解決しようとする課題】
【０００４】
しかしながら、特許文献１に記載の電話機においては、貫通穴の径よりも大きい径を有するゴム足が電話機の筐体内部から取り付けられる。そして、抜け止めのためにゴム足を上から抑える必要があり、作業が煩雑となる。一方、特許文献２に記載の電話機においては、ゴム足が電話機の筐体外部から取り付けられるが、ゴム足が筐体内部まで貫通していないため、筐体から外れてしまう恐れがある。
【０００５】
上記課題に鑑み本発明の目的は、パッド取り付け時の作業性を損なうことなく、パッドの抜け防止を実現できる携帯端末装置を提供することである。
【課題を解決するための手段】
【０００６】
本発明の一態様にかかる携帯端末装置は、内面から外面まで貫通する孔部を有する筐体と、軸部と、前記軸部の一端に設けられ、前記孔部の開口面よりも小さい形状であり、前記孔部の周縁部において一部が前記筐体の内面と重っており、前記孔部を跨ぐ側面を有する第１の部材と、前記軸部の他端に設けられ、前記筐体の外面よりも外側に突出する第２の部材と、を有する構造部材と、前記筐体の内面に設けられ、前記第１の部材の前記側面と当接する側面を有する複数の突起部と、を備えるものである。
【発明の効果】
【０００７】
本発明により、パッド取り付け時の作業性を損なうことなく、パッドの抜け防止を実現できる携帯端末装置を提供することができる。
【図面の簡単な説明】
【０００８】
【図１】実施の形態にかかる携帯端末装置の一例を示す分解斜視図である。
【図２】図１に示す携帯端末装置のＡ−Ａにおける断面図である。
【図３】実施の形態にかかる携帯端末装置の筐体の上面図である。
【図４】実施の形態にかかる孔部の拡大斜視図である。
【図５】実施の形態にかかる孔部の拡大上面図である。
【図６】図５に示す携帯端末装置のＢ１−Ｂ１における断面図である。
【図７】図５に示す携帯端末装置のＣ１−Ｃ１における断面図である。
【図８】図５に示す携帯端末装置のＤ１−Ｄ１における断面図である。
【図９】実施の形態にかかるパッドの拡大斜視図である。
【図１０】実施の形態にかかる孔部にパッドを取り付けた状態の拡大斜視図である。
【図１１】実施の形態にかかる孔部にパッドを取り付けた状態の拡大上面図である。
【図１２】図１１に示す携帯端末装置のＢ２−Ｂ２における断面図である。
【図１３】図１１に示す携帯端末装置のＣ２−Ｃ２における断面図である。
【図１４】図１１に示す携帯端末装置のＤ２−Ｄ２における断面図である。
【図１５】実施の形態にかかるアンテナの六面図である。
【図１６】実施の形態にかかるアンテナを取り付けた状態の拡大上面図である。
【図１７】図１６に示す携帯端末装置のＢ３−Ｂ３における断面図である。
【図１８】図１６に示す携帯端末装置のＣ３−Ｃ３における断面図である。
【図１９】図１６に示す携帯端末装置のＤ３−Ｄ３における断面図である。
【発明を実施するための形態】
【０００９】
以下、図面を参照して本発明の実施の形態について説明する。
図１は、本実施の形態にかかる携帯端末装置１の一例を示す分解斜視図である。本実施の形態にかかる携帯端末装置１では、筐体１０は、筐体１０と表示部６０とを接合することで形成される空間に、バッテリ２０、基板３０、アンテナ４０、及びフレーム部材５０を収容する。図２は、図１のＡ−Ａにおける断面図である。本実施の形態にかかる携帯端末装置１は、例えばスマートフォン、タブレット型の携帯端末装置、携帯電話、ゲーム機、電子書籍端末などである。
【００１０】
＜携帯端末装置１の構成＞
始めに、図１及び図２を参照して、携帯端末装置１の構成について説明する。筐体１０は、バッテリ２０、基板３０、アンテナ４０、及びフレーム部材５０を収容可能に構成されている。筐体１０は、筐体本体部１１と、側壁１２と、固定部１３と、孔部１４と、を備える。筐体本体部１１は、表示部６０と対向する面を有する部分である。言い換えると、筐体本体部１１は、携帯端末装置１の背面部である。筐体本体部１１は、筐体本体部１１の外周縁に側壁１２を有する。側壁１２は、筐体本体部１１から表示部６０の方向に立設する壁である。
【００１１】
また、筐体本体部１１は、筐体本体部１１の内面に、フレーム部材５０を筐体１０に固定するための複数の固定部１３を有する。筐体本体部１１は、フレーム部材５０の固定位置（図示しない取り付け穴）に対応した箇所に固定部１３を有する。筐体本体部１１は、側壁１２の内側に固定部１３を有する。各々の固定部１３は、取り付け穴を有する。図１に示す例では、筐体本体部１１は、４箇所の固定部１３を有する。
【００１２】
バッテリ２０は、例えばリチウムイオン二次電池である。フレーム部材５０は、ネジ等を用いてバッテリ２０を固定する。
【００１３】
基板３０は、回路素子を有する。ここで、回路素子は、例えば携帯端末装置１を駆動するためのプロセッサ、メモリ、通信モジュール等の集積回路装置や、カメラ用の撮像素子等である。また、フレーム部材５０は、ネジ等を用いて基板３０を固定する。
【００１４】
アンテナ４０は、通信用の電波を送受信する。筐体１０は、筐体１０の長手方向の両端部にアンテナ４０を収容する（図２参照）。このように、アンテナ４０を筐体１０の長手方向端部に配置することにより、アンテナ４０が他の部品に覆われることを回避できる。そのため、携帯端末装置１は、アンテナ４０を用いて送受信される電波が遮蔽されることを抑制することができる。さらに、バッテリ２０や基板３０とアンテナ４０とが重なることを回避できる。このような部品配置とすることにより、携帯端末装置１は、薄型化を実現できる。
【００１５】
フレーム部材５０は、バッテリ２０及び基板３０を保持するための部材である。フレーム部材５０はある程度の強度を必要とするため、金属材料で形成することが好ましい。フレーム部材５０に用いる材料としては、例えば、マグネシウム合金、アルミニウム、ステンレス等を挙げることができる。なお、携帯端末装置１の軽量化を考慮すると、マグネシウム合金を用いることが好ましい。
【００１６】
フレーム部材５０は、バッテリ２０が取り付けられる位置に対応する箇所に開口部５１を有する。つまり、フレーム部材５０は、バッテリ２０の上面と対向する位置に開口部５１を有する。このように開口部５１を設けることで、フレーム部材５０の内部にバッテリ２０の一部を設けることができ、携帯端末装置１は、筐体内部の空間を有効に利用することができる。
【００１７】
フレーム部材５０は、バッテリ２０をフレーム部材５０にネジ等を用いて固定するための複数の取り付け穴（図示省略）を有する。これにより、例えば、バッテリ２０は、ネジ等を用いて筐体１０が設けられている側からフレーム部材５０に固定される。
【００１８】
また、フレーム部材５０は、基板３０が取り付けられる位置に対応する箇所に開口部５２を有する。このように開口部５２を設けることで、基板３０に設けられた回路素子の高さが高い場合であっても、携帯端末装置１は、フレーム部材５０と回路素子とが干渉することを抑制することができる。
【００１９】
また、フレーム部材５０は、基板３０をフレーム部材５０にネジ等を用いて固定するための複数の取り付け穴（図示省略）を有する。これにより、例えば、基板３０は、ネジ等を用いて筐体１０が設けられている側からフレーム部材５０に固定される。
【００２０】
また、フレーム部材５０は、筐体１０の固定部１３と対応する位置に、フレーム部材５０を筐体１０にネジ等を用いて固定するための複数の取り付け穴（図示省略）を有する。
【００２１】
表示部６０は、筐体１０の側壁１２上に配置される。表示部６０は、表示パネル６１と、表示パネル６１の表面側に設けられたタッチパネル６２と、を有する。なお、表示パネル６１の表面側には、タッチパネル６２の代わりにタッチパネル機能を備えないガラスやプラスチックで形成されたパネルを設けてもよい。表示パネル６１は、例えば液晶パネルや有機ＥＬ（Electro Luminescence）パネル等である。
【００２２】
パッド７０（構造部材）は、筐体本体部１１に設けられた孔部１４に取り付けられる（図２参照）。パッド７０は、携帯端末装置１を机等に置く際に、机等と接触する部材である。パッド７０を用いて携帯端末装置１を支持することにより、携帯端末装置１のがたつきや滑りを抑えることができる。なお、図１に示すように、本実施の形態においては、４つのパッド７０が筐体本体部１１に取り付けられる。勿論、パッド７０の個数は４個に限られず、３個以上であればよい。３個以上のパッド７０が頂点となる多角形が形成されるようにパッド７０が配置されることにより、パッド７０が携帯端末装置１を安定して支持することができ、がたつきを防止できる。
【００２３】
＜筐体１０の詳細な構成＞
続いて、本実施の形態にかかる筐体１０の構成について詳細に説明する。図３は、本実施の形態にかかる筐体１０の上面図である。
【００２４】
筐体１０は、カーボンコンポジット材料（炭素繊維強化プラスチック（ＣＦＲＰ：Carbon Fiber Reinforced Plastics））を含み構成されている。カーボンコンポジット材料は、カーボンを５０体積％以上含み、シリカ、アルミナなどの無機系の粘結剤、ファイバなどを含む複合材料である。カーボンコンポジット材料は、高い強度と軽さを併せ持つ。また、カーボンコンポジット材料は、樹脂材料（プラスチック材料）と比べて熱伝導率が高い。
【００２５】
図３に示すように、筐体本体部１１は、略矩形状であり、その四隅のそれぞれに孔部１４が設けられている。筐体本体部１１は、４つの孔部１４よりも中央側に４つの固定部１３を有する。なお、固定部１３及び孔部１４は樹脂材料を用いて形成されている。このため、カーボンコンポジット材料を用いた場合よりも加工が容易となる。
【００２６】
＜孔部１４の詳細な構成＞
次に、図４乃至図８を参照して、孔部１４について説明する。図４は、孔部１４の拡大斜視図である。図５は、孔部１４の上面図である（図３の破線で囲んだ部分の拡大図）。図６は、図５のＢ１−Ｂ１における断面図である。図７は、図５のＣ１−Ｃ１における断面図である。図８は、図５のＤ１−Ｄ１における断面図である。
【００２７】
図４及び図５に示すように、孔部１４は略長方形の形状をしている。より詳細には、孔部１４の短辺は、孔部１４の長手方向に膨らんだ弧状である。孔部１４の長手方向が筐体１０の長手方向に対応するように、筐体１０は、孔部１４を有する（図３参照）。パッド７０の一部が、孔部１４に挿通している。
【００２８】
図７及び図８に示すように、孔部１４は、筐体本体部１１の外面から内面まで貫通する孔である。また、図６乃至図８に示すように、筐体本体部１１は、筐体本体部１１の外面に、筐体１０の内側方向にへこんだ凹部１１ａを有する。筐体本体部１１は、凹部１１ａの底面に孔部１４を有する（図７及び図８参照）。パッドが、当該凹部１１ａに嵌まる。
【００２９】
図４及び図５に示すように、筐体本体部１１は、筐体本体部１１の内面において、孔部１４の周縁部に複数の三角リブ１５（突起部）を有する。本実施の形態においては、筐体本体部１１は、４つの三角リブ１５を有する。三角リブ１５は、孔部１４の長辺に沿って、長辺の両端部に位置している。
【００３０】
三角リブ１５は、筐体本体部１１の内面から上側（表示部側）に突出している（図６参照）。また、三角リブ１５は、孔部１４に向かって傾斜する傾斜面１５１を有する（図４参照）。言い換えると、三角リブ１５の高さ方向の厚みは、孔部１４から離れるにつれて厚くなっている。なお、詳細には、図４に示すように、傾斜面１５１は曲面となっている。
【００３１】
＜パッド７０の詳細な構成＞
次に、図９を参照して、パッド７０の詳細な構成について説明する。図９は、パッド７０の斜視図である。パッド７０は、回転リブ７１と、回転ピン７２と、球面突起部７３と、を有する。
【００３２】
回転リブ７１（第１の部材）は、略直方体の形状をしている。回転リブ７１の上面は、孔部１４に対応する形状である。具体的には、回転リブ７１の上面は、略長方形であり、短辺が弧状である。ただし、回転リブ７１の長手方向の長さは、孔部１４の長手方向の長さよりも短い。また、回転リブ７１の短手方向の長さも、孔部１４の短手方向の長さよりも短い。言い換えると、回転リブ７１の上面（及び回転ピン７２の径方向断面）は、孔部１４の開口面よりも小さい形状である。そのため、回転リブ７１は、孔部１４に挿入可能な形状である。
【００３３】
回転ピン７２（軸部）は、一端に回転リブ７１を有し、他端に球面突起部７３を有する。回転ピン７２は、円柱状であり、筐体本体部１１の厚みと略同じ長さである。また、回転ピン７２の直径は、回転リブ７１の短手方向の長さよりも短い。そのため、回転ピン７２も孔部１４に挿入可能な大きさである。
【００３４】
球面突起部７３（第２の部材）は、円柱部分７３ａと、球面部分７３ｂと、を有する。円柱部分７３ａは、円柱部分７３ａの上面中心に回転ピン７２を有する。円柱部分７３ａの直径は、回転リブ７１の長手方向の長さよりも長い。また、円柱部分７３ａの高さ（厚み）は、筐体本体部１１に設けられた凹部１１ａの段差と略同じ高さである。
【００３５】
円柱部分７３ａは、円柱部分７３ａの回転ピン７２が連結された面とは反対側の面に球面部分７３ｂを有する。球面部分７３ｂは、図９における下方に膨らんだ球面を有する。また、球面部分７３ｂは、筐体１０の外面よりも外側に突出している。そのため、携帯端末装置１を机等に置いた場合、当該球面部分７３ｂが、机等と当接する。球面部分７３ｂは、熱可塑性エラストマ等のゴム成分を含むプラスチック材料（樹脂材料）から形成される。そのため、机と球面部分７３ｂとの接地点において摩擦力が発生し、携帯端末装置１は、滑りを防止することができる。
【００３６】
なお、回転ピン７２の径方向における球面突起部７３の断面は、曲率を有する形状となる。具体的には、球面突起部７３の径方向断面は、円形状となる。勿論、断面は正円でなくてもよく、楕円であってもよい。
【００３７】
＜パッド７０を孔部１４に挿入した構成＞
続いて、図１０乃至図１４を参照して、孔部１４にパッド７０が挿入された後、回転リブ７１が回転してパッド７０が固定された状態（つまり、パッド７０を筐体本体部１１に取り付けた後の状態）の構成について詳細に説明する。図１０は、孔部１４にパッド７０を取り付けた後の状態の拡大斜視図である。図１１は、孔部１４にパッド７０を取り付けた後の孔部１４の上面図である。図１２は、図１１のＢ２−Ｂ２における断面図である。図１３は、図１１のＣ２−Ｃ２における断面図である。図１４は、図１１のＤ２−Ｄ２における断面図である。
【００３８】
図１０乃至図１２に示すように、三角リブ１５は、回転リブ７１の長手方向の両端部において、回転リブ７１を挟んで配置されている。回転リブ７１は、孔部１４にパッド７０を取り付けた後の状態において、孔部１４を跨ぐ側面７１１を有する（図１０参照）。そして、三角リブ１５の側面１５２と回転リブ７１の側面７１１とが当接する（図１２参照）。つまり、回転リブ７１を回転させようとしても、三角リブ１５の側面１５２が、回転リブ７１の長手方向の側面７１１に当接する。その結果、三角リブ１５は、回転ピン７２の軸回りに回転リブ７１が回転することを規制する。その結果、携帯端末装置１は、三角リブ１５が回転して、パッド７０が孔部１４から抜け落ちてしまうことを防止できる。勿論、三角リブ１５の側面１５２と回転リブ７１の側面７１１とは、面同士で接触している必要はなく、面の少なくとも一部が接触していればよい。また、回転リブ７１の回転を規制する際に、三角リブ１５の側面１５２と回転リブ７１の側面７１１とが当接すればよく、常に当接している必要はない。つまり、回転リブ７１の回転角度によっては、三角リブ１５の側面１５２と回転リブ７１の側面７１１との間に微小な隙間が発生してもよい。
【００３９】
なお、三角リブ１５の個数は４個に限られない。回転リブ７１を挟んで対抗配置されていれば、三角リブ１５は最小で２個でもよい。具体的には、三角リブ１５ａ、１５ｂの２個または三角リブ１５ｃ、１５ｄの２個でもよい（図１０参照）。また、三角リブ１５が孔部１４を介して対向配置されていれば、三角リブ１５は最小で２個でもよい。具体的には、三角リブ１５ａ、１５ｃの２個または三角リブ１５ｂ、１５ｄの２個でもよい（図１０参照）。このとき、それぞれの三角リブ１５は、回転リブ７１の一方の側面に当接するように配置される。さらに、三角リブ１５は、孔部１４の周縁部に接して配置されている必要も無い。つまり、三角リブ１５は、回転リブ７１が回転ピン７２の軸回りに回転した場合に、回転リブ７１の長手方向端部が描く円の中に三角リブ１５の少なくとも一部が含まれるよう配置されていればよい。このような位置に三角リブ１５が配置されることにより、回転リブ７１の回転を規制できる。その結果、携帯端末装置１は、三角リブ１５が回転して、パッド７０が孔部１４から抜け落ちてしまうことを防止できる。
【００４０】
また、回転リブ７１の長手方向と孔部１４の長手方向が略直交するように回転リブ７１が固定される（図１１参照）。すなわち、回転リブ７１の長手方向と孔部１４の短手方向が略一致するように回転リブ７１は固定される。このとき、回転リブ７１の長手方向の長さは、孔部１４の長手方向の長さよりも短く、孔部１４の短手方向の長さよりも長い。このため、孔部１４の周縁部において、回転リブ７１の一部が筐体本体部１１の内面と重なる（図１４参照）。したがって、パッド７０に対して球面突起部７３側から引っ張る力が働いた場合であっても、回転リブ７１の一部と筐体本体部１１の内面とが当接する。その結果、携帯端末装置１は、パッド７０の抜け止めの効果を発揮できる。
【００４１】
さらに、図１２乃至図１４に示すように、球面突起部７３の円柱部分７３ａは、筐体本体部１１の外面に設けられた凹部と嵌合している。そして、球面突起部７３の球面部分７３ｂは、筐体本体部１１の外面から突出している。このため、携帯端末装置１を机上に置いた場合、筐体本体部１１の外面よりも突出する球面部分７３ｂが机と当接する。
【００４２】
このとき、球面突起部７３の円柱部分７３ａが筐体本体部１１の凹部に嵌合しているため、球面部分７３ｂに対して下から押し上げる力が働いた場合、円柱部分７３ａの上面と凹部の底面とが当接する。このため、携帯端末装置１は、パッドが筐体１０内部に入り込んでしまうことを防止できる。
【００４３】
加えて、球面突起部７３の円柱部分７３ａが筐体本体部１１の凹部に嵌合しているため、円柱部分７３ａの上面と凹部の底面との隙間９０が、筐体本体部１１の外面よりも内側に位置している。そのため、携帯端末装置１は、隙間９０に爪等の薄体を引っ掛けて、パッドが引き抜かれることも防止できる。
【００４４】
また、筐体本体部１１の外面から突出している部分は球面部分７３ｂのみである。球面部分７３ｂは、回転ピン７２の径方向における断面が円形状をしている。このため、断面が矩形状の場合に比べて、球面突起部７３に対して回転ピン７２の軸回りに回転させる力をかけることが難しい。その結果、パッドが回転することを抑制でき、パッドが抜け落ちることを防止できる。さらに、筐体本体部１１の外面から突出している球面部分７３ｂは、球面形状をしているため、球面部分７３ｂを挟持することが難しい。そのため、携帯端末装置１は、パッドが回転することをさらに抑制できる。その結果、携帯端末装置１は、三角リブ１５が回転して、パッド７０が孔部１４から抜け落ちてしまうことを防止できる。
【００４５】
なお、回転リブ７１を固定するとき（パッドを孔部１４に取り付けるとき）について、図１０を参照して説明する。回転リブ７１の長手方向を孔部１４の長手方向に合わせて、回転リブ７１を筐体本体部１１の外側から孔部１４に対して挿入する。そして、回転リブ７１を筐体本体部１１の内側から回転させる。回転リブ７１を回転させると、回転リブ７１は、三角リブ１５の傾斜面１５１に沿って三角リブ１５に乗り上げる。さらに回転させると、回転リブ７１は、三角リブ１５を乗り越え、孔部１４の長手方向に並んだ三角リブ１５の間に嵌まる。このとき、三角リブ１５が傾斜面１５１を有することにより、回転リブ７１が容易に三角リブ１５を乗り越えることができる。回転リブ７１が三角リブ１５を乗り越えた後、回転リブ７１の側面が三角リブ１５の側面に当接することにより、図１０に示すように回転リブ７１が固定される。回転リブ７１が固定された状態においては、回転ピン７２は孔部１４に挿通している。
【００４６】
＜アンテナ４０が回転リブ７１に嵌合した構成＞
続いて、図１５乃至図１９を参照して、アンテナ４０が回転リブ７１に嵌合した状態の構成について詳細に説明する。図１５は、アンテナ４０の六面図である。図１６は、アンテナ４０が嵌合した後の孔部１４の上面図である。図１７は、図１６のＢ３−Ｂ３における断面図である。図１８は、図１６のＣ３−Ｃ３における断面図である。図１９は、図１６のＤ３−Ｄ３における断面図である。
【００４７】
まず、図１５を参照してアンテナ４０の構成について説明する。アンテナ４０は、六角柱形状であり、底面にスリットが設けられている。より詳細には、アンテナ４０は、アンテナ４０の底面には、アンテナ４０の長手方向の両端部まで延びる溝（凹部）４１と、短手方向の一端から延びる溝４２と、を有する。
【００４８】
筐体１０は、アンテナ４０の長手方向が筐体１０の短手方向に対応するように、アンテナ４０を収容する（図１参照）。また、回転リブ７１は、回転リブ７１の長手方向が筐体１０の短手方向に対応するように固定される（図１１参照）。つまり、アンテナ４０の溝４１は、筐体１０に固定された回転リブ７１の長手方向に延びている。このため、アンテナ４０の溝４１は、回転リブ７１と嵌合する。また、アンテナ４０の短手方向に延びる溝４２は、三角リブと嵌合する。
【００４９】
次に、アンテナ４０が回転リブ７１及び三角リブ１５に嵌合している構成について説明する。図１６に示すように、回転リブ７１及び三角リブ１５の上側からアンテナ４０が搭載される。なお、アンテナ４０が搭載される前に、回転リブ７１は固定される（つまり、図１１に示したように、回転リブ７１が三角リブ１５に挟まれた状態となっている）。
【００５０】
このとき、図１８に示すように、回転リブ７１は、アンテナ４０の長手方向の溝４１に嵌合している。これにより、回転リブ７１が回転しようとしても、回転リブ７１の側面が溝４１の内壁に当接するため、回転を規制することができる。その結果、回転リブ７１が三角リブ１５を乗り上げて回転してしまうことを防止し、携帯端末装置１は、パッドの抜けを防止できる。
【００５１】
また、図１７に示すように、アンテナ４０の短手方向に延びる溝４２には、三角リブ１５が嵌合する。これにより、三角リブ１５とアンテナ４０の底面とが当接し、回転リブ７１と溝４１との嵌合を阻害してしまうことを回避できる。さらに、アンテナ４０が三角リブ１５を上側から覆っている。そのため、回転リブ７１が三角リブ１５の上側を乗り越えるスペースがなくなる。その結果、携帯端末装置１は、回転リブ７１が回転することをさらに防止できる。
【００５２】
また、図１５及び図１９に示すように、溝４１は、アンテナ４０の長手方向に延在しているが、溝４１は、回転リブ７１に対応する位置に設けられていればよく、必ずしもアンテナ４０の両端部まで延在している必要は無い。勿論、回転リブ７１と嵌合する部品はアンテナ４０に限られない。ただし、アンテナ４０を用いて送受信される電波に対する影響の低減や薄型化を図るための部品配置の観点から、アンテナ４０は筐体１０の長手方向の両端部に位置している。そのため、回転リブ７１と嵌合する部品としてアンテナ４０を用いることが好ましい。
【００５３】
以上で説明したように、本実施の形態にかかる携帯端末装置１は、内面から外面まで貫通する孔部を有する筐体と、孔部に取り付けられたパッドと、を備える。パッドは、回転ピンと、孔部の開口面よりも小さい形状であり、孔部の周縁部において一部が前記筐体の内面と重っており、孔部を跨ぐ側面を有する回転リブと、回転ピンの他端に設けられ、前記筐体の外面よりも外側に突出する球面突起部と、を有する。回転リブの一部は、孔部の周縁部において筐体の内面と重なっている。また、筐体の内面には、複数の三角リブが設けられている。三角リブは、回転リブの側面と当接することにより、回転リブが回転ピンの軸回りに回転することを規制する。
【００５４】
パッドの取り付け時においては、筐体本体部の外側から孔部に対して回転リブを挿入する。そして、回転リブを筐体本体部の内側から回転させるだけである。そのため、パッドを固定するために、パッドを抑える等の対策は不要である。
【００５５】
また、回転リブの一部が孔部の周縁部において筐体の内面と重なっているため、携帯端末装置１は、パッドを外側から引っ張ってもパッドが抜けることを防止できる。さらに、三角リブが回転リブの回転を規制しているため、携帯端末装置１は、回転リブが回転して孔部から抜けてしまうことを防止できる。
【００５６】
よって、本実施の形態にかかる発明により、パッドの取り付け時の作業性を損なうことなく、パッドの抜け防止を実現できる携帯端末装置を提供することができる。
【００５７】
以上、本発明を上記実施形態に即して説明したが、上記実施形態の構成にのみ限定されるものではなく、本願特許請求の範囲の請求項の発明の範囲内で当業者であればなし得る各種変形、修正、組み合わせを含むことは勿論である。
【符号の説明】
【００５８】
１  携帯端末装置
１０  筐体
１１  筐体本体部
１２  側壁
１３  固定部
１４  孔部
１５  三角リブ
２０  バッテリ
３０  基板
４０  アンテナ
４１、４２  溝
５０  フレーム部材
５１、５２  開口部
６０  表示部
６１  表示パネル
６２  タッチパネル
７０  パッド
７１  回転リブ
７２  回転ピン
７３  球面突起部
【図１】
2013255022.tif 000003
【図２】
2013255022.tif 000004
【図３】
2013255022.tif 000005
【図４】
2013255022.tif 000006
【図５】
2013255022.tif 000007
【図６】
2013255022.tif 000008
【図７】
2013255022.tif 000009
【図８】
2013255022.tif 000010
【図９】
2013255022.tif 000011
【図１０】
2013255022.tif 000012
【図１１】
2013255022.tif 000013
【図１２】
2013255022.tif 000014
【図１３】
2013255022.tif 000015
【図１４】
2013255022.tif 000016
【図１５】
2013255022.tif 000017
【図１６】
2013255022.tif 000018
【図１７】
2013255022.tif 000019
【図１８】
2013255022.tif 000020
【図１９】
2013255022.tif 000021